(57)【要約】【課題】一つの中仕切りでもって、複数のサイズの収納体を収納することが可能な形状の中仕切りであって、あらかじめ平らな状態で保管することができるため保管スペースをとらずに、使用時に簡単に起こして組み立てることができる組み立て作業性の良好な中仕切りを提供する。【解決手段】本発明は、少なくとも上天板、上仕切り板、底板、下仕切り板、下天板を順次折れ線を介して連設し、上天板の両側辺に上連結側板をそれぞれ連設し、下天板の両側辺に下連結側板をそれぞれ連設してなる一枚のブランクから組み立て可能な中仕切りであって、分割した上仕切り板と分割した下仕切り板を底板から折り曲げて起こすと同時に、上天板と下天板を底板と平行状に折り曲げて底板と上天板、底板と下天板が段差を持った形とし、上連結側板、下連結側板をそれぞれ下方に折り曲げ、上連結側板と下連結側板をそれぞれ連結することにより、一つのブランク形状から複数のサイズの収納体を収納することに対応できることを特徴とする中仕切りである。【選択図】図９
2007076733.tif 000002
【特許請求の範囲】
【請求項１】
少なくとも上天板、上仕切り板、底板、下仕切り板、下天板を順次折れ線を介して連設し、前記上天板の両側辺に上連結側板をそれぞれ連設し、前記下天板の両側辺に下連結側板をそれぞれ連設してなる一枚のブランクから組み立て可能な中仕切りであって、
前記上仕切り板と前記下仕切り板を前記底板から折り曲げて起こすと同時に、前記上天板と前記下天板を前記底板と平行状に折り曲げて前記底板と前記上天板、前記底板と前記下天板が段差を持った形とし、前記上連結側板、前記下連結側板をそれぞれ下方に折り曲げ、前記上連結側板と前記下連結側板をそれぞれ連結することにより、前記上仕切り板と前記下仕切り板と前記底板からなる収納部を形成したことを特徴とする中仕切り。
【請求項２】
前記上仕切り板を縦状の複数の切り込みにより分割し、分割した上仕切り板の一部を上方に移動して段差状に設け、前記下仕切り板を縦状の複数の切り込みにより分割し、分割した下仕切り板の一部を下方に移動して段差状に設け、前記上仕切り板と前記下仕切り板を前記底板の横中央線を軸として対称な位置関係とし、前記上仕切り板を前記底板から折り曲げて起こすと、分割した上仕切り板が段差状に起き、前記下仕切り板を前記底板から折り曲げて起こすと、分割した下仕切り板が段差状に起き、対向する分割した上仕切り板と分割した下仕切り板同志と前記底板からなる収納部をそれぞれ形成したことを特徴とする請求項１に記載の中仕切り。
【請求項３】
前記上仕切り板を縦状の二本の切り込みにより中央上仕切り板、両側上仕切り板に三分割し、前記中央上仕切り板を上方に移動して段差状に設け、前記下仕切り板を縦状の二本の切り込みにより中央下仕切り板、両側下仕切り板三分割し、前記中央下仕切り板を下方に移動して段差状に設け、前記上仕切り板と前記下仕切り板を前記底板の横中央線を軸として対称な位置関係とし、前記上仕切り板を前記底板から折り曲げて起こすと、前記中央上仕切り板と前記両側上仕切り板が段差状に起き、前記下仕切り板を前記底板から折り曲げて起こすと、前記中央下仕切り板と前記両側下仕切り板が段差状に起き、前記両側上仕切り板と前記両側下仕切り板と前記底板からなる収納部に加えて、前記中央上仕切り板と前記中央下仕切り板と前記底板からなる収納部を形成したことを特徴とする請求項２に記載の中仕切り。
【請求項４】
前記上仕切り板を縦状の四本の切り込みにより中央上仕切り板、中央両側上仕切り板、両側上仕切り板に五分割し、前記中央上仕切り板を上方に移動し、さらに、前記中央両側上仕切り板を上方に移動し、前記中央上仕切り板、前記中央側上仕切り板、前記側上仕切り板を段差状に設け、前記下仕切り板を縦状の四本の切り込みにより中央下仕切り板、中央両側下仕切り板、両側下仕切り板に五分割し、前記中央下仕切り板を下方に移動し、さらに、前記中央両側下仕切り板を下方に移動し、前記中央下仕切り板、前記中央両側下仕切り板、前記両側下仕切り板を段差状に設け、前記上仕切り板と前記下仕切り板を前記底板の横中央線を軸として対称な位置関係とし、前記上仕切り板を前記底板から折り曲げて起こすと、前記中央上仕切り板と前記中央両側上仕切り板と前記両側上仕切り板が段差状に起き、前記下仕切り板を前記底板から折り曲げて起こすと、前記中央下仕切り板と前記中央両側下仕切り板と前記両側下仕切り板が段差状に起き、前記両側上仕切り板と前記両側下仕切り板と前記底板からなる収納部に加えて、前記中央上仕切り板と前記中央下仕切り板と前記底板からなる収納部、前記中央両側上仕切り板と前記中央両側下仕切り板と前記底板からなる収納部を形成したことを特徴とする請求項２に記載の中仕切り。
【請求項５】
前記中央仕切り板の両側上縁部に切り込みを入れて上天板から折り曲げ可能な保持片を設け、下方に折り曲げた場合は、上仕切り板まで収納体を収納することができ、保持片を折り曲げずに底板２に平行状に保った場合は、このこの保持片まで収納体を収納することになり、異なるサイズの収納体に対応できることを特徴とする請求項２乃至４のいずれかに記載の中仕切り。
【発明の詳細な説明】
【技術分野】
【０００１】
本発明は、菓子、食品、雑貨等を詰めて使用される中仕切りに関するものであり、詳しくは、一つの中仕切りで異なるサイズの収納体を収納することに対応できる中仕切りに関するものである。
【背景技術】
【０００２】
従来、中仕切りにおいては、個包装された菓子、食品、雑貨等の収納体を保護および固定のために使用されている。そして、この種の中仕切りは、箱本体の中に収容される構成であり、これらが別々に作成され、そして、組み立てられ、組み合わされて一体となっている。
【０００３】
上記の従来の中仕切りでは、収納するそれぞれのサイズの収納体に合わせて作製されている。収納する収納体のサイズが規定されており、一つの中仕切りでもって、複数のサイズの収納体を収納することができる形状とはなっていない。従って、同品種あるいは同類の品種のサイズの異なる収納体を収納する場合、それぞれのサイズに合わせた中仕切りを作製している（例えば、特許文献１参照。）
【特許文献１】特開２００１−１４６２３１号公報
【発明の開示】
【発明が解決しようとする課題】
【０００４】
上記のような従来の中仕切りの有する問題を解消するために、本発明は、一つの中仕切りでもって、複数のサイズの収納体を収納することが可能な形状の中仕切りであって、あらかじめ平らな状態で保管することができるため保管スペースをとらずに、使用時に簡単に起こして組み立てることができる組み立て作業性の良好な中仕切りを提供することを目的とするものである。
【課題を解決するための手段】
【０００５】
上記目的を達成するために、請求項１の発明は、少なくとも上天板、上仕切り板、底板、下仕切り板、下天板を順次折れ線を介して連設し、前記上天板の両側辺に上連結側板をそれぞれ連設し、前記下天板の両側辺に下連結側板をそれぞれ連設してなる一枚のブランクから組み立て可能な中仕切りであって、前記上仕切り板と前記下仕切り板を前記底板から折り曲げて起こすと同時に、前記上天板と前記下天板を前記底板と平行状に折り曲げて前記底板と前記上天板、前記底板と前記下天板が段差を持った形とし、前記上連結側板、前記下連結側板をそれぞれ下方に折り曲げ、前記上連結側板と前記下連結側板をそれぞれ連結することにより、前記上仕切り板と前記下仕切り板と前記底板からなる収納部を形成したことを特徴とする中仕切りである。
【０００６】
また、請求項２の発明は、請求項１の中仕切りにおいて、前記上仕切り板を縦状の複数の切り込みにより分割し、分割した上仕切り板の一部を上方に移動して段差状に設け、前記下仕切り板を縦状の複数の切り込みにより分割し、分割した下仕切り板の一部を下方に移動して段差状に設け、前記上仕切り板と前記下仕切り板を前記底板の横中央線を軸として対称な位置関係とし、前記上仕切り板を前記底板から折り曲げて起こすと、分割した上仕切り板が段差状に起き、前記下仕切り板を前記底板から折り曲げて起こすと、分割した下仕切り板が段差状に起き、対向する分割した上仕切り板と分割した下仕切り板同志と前記底板からなる収納部をそれぞれ形成したことを特徴とする中仕切りである。
【０００７】
また、請求項３の発明は、請求項２の発明において、前記上仕切り板を縦状の二本の切り込みにより中央上仕切り板、両側上仕切り板に三分割し、前記中央上仕切り板を上方に移動して段差状に設け、前記下仕切り板を縦状の二本の切り込みにより中央下仕切り板、両側下仕切り板三分割し、前記中央下仕切り板を下方に移動して段差状に設け、前記上仕切り板と前記下仕切り板を前記底板の横中央線を軸として対称な位置関係とし、前記上仕切り板を前記底板から折り曲げて起こすと、前記中央上仕切り板と前記両側上仕切り板が段差状に起き、前記下仕切り板を前記底板から折り曲げて起こすと、前記中央下仕切り板と前記両側下仕切り板が段差状に起き、前記両側上仕切り板と前記両側下仕切り板と前記底板からなる収納部に加えて、前記中央上仕切り板と前記中央下仕切り板と前記底板からなる収納部を形成したことを特徴とする中仕切りである。
【０００８】
また、請求項４の発明は、請求項２の発明において、前記上仕切り板を縦状の四本の切り込みにより中央上仕切り板、中央両側上仕切り板、両側上仕切り板に五分割し、前記中央上仕切り板を上方に移動し、さらに、前記中央両側上仕切り板を上方に移動し、前記中央上仕切り板、前記中央側上仕切り板、前記側上仕切り板を段差状に設け、前記下仕切り板を縦状の四本の切り込みにより中央下仕切り板、中央両側下仕切り板、両側下仕切り板に五分割し、前記中央下仕切り板を下方に移動し、さらに、前記中央両側下仕切り板を下方に移動し、前記中央下仕切り板、前記中央両側下仕切り板、前記両側下仕切り板を段差状に設け、前記上仕切り板と前記下仕切り板を前記底板の横中央線を軸として対称な位置関係とし、前記上仕切り板を前記底板から折り曲げて起こすと、前記中央上仕切り板と前記中央両側上仕切り板と前記両側上仕切り板が段差状に起き、前記下仕切り板を前記底板から折り曲げて起こすと、前記中央下仕切り板と前記中央両側下仕切り板と前記両側下仕切り板が段差状に起き、前記両側上仕切り板と前記両側下仕切り板と前記底板からなる収納部に加えて、前記中央上仕切り板と前記中央下仕切り板と前記底板からなる収納部、前記中央両側上仕切り板と前記中央両側下仕切り板と前記底板からなる収納部を形成したことを特徴とする中仕切りである。
【０００９】
さらに、請求項５の発明は、請求項２乃至４のいずれかの発明において、前記中央仕切り板の両側上縁部に切り込みを入れて上天板から折り曲げ可能な保持片を設け、下方に折り曲げた場合は、上仕切り板まで収納体を収納することができ、保持片を折り曲げずに底板２に平行状に保った場合は、このこの保持片まで収納体を収納することになり、異なるサイズの収納体に対応できることを特徴とする中仕切りである。
【発明の効果】
【００１０】
本発明の中仕切りは、実際には、箱本体あるいはスリーブの中に収容されて使用されるが、この中仕切りは、一枚のブランクから組み立てることができ、使用前には平面状の形状であることから、保管スペースを採らないという効果を有している。
【００１１】
また、一つの中仕切りでもって、複数のサイズの収納体を収納することに対応した形状となっているため、同品種あるいは同類の品種のサイズの異なる収納体を収納する場合、それぞれのサイズに合わせた中仕切りを作製する必要がなく、一種類の中仕切りを作製すればよく、量産しやすく、経済的であるという効果を有している。
【００１２】
さらに、使用時にこの折り畳まれた中仕切りを簡単に起こして組み立てることができるという効果を有している。
【発明を実施するための最良の形態】
【００１３】
以下、図面を参照しながら本発明の実施の形態について説明する。
【００１４】
図１は本発明にかかる中仕切りの第一の実施の形態の一実施例を示す斜視図であり、図２は図１の中仕切りのブランクの展開図であり、そして、図３は収納体を収納した状態を示す斜視図である。
【００１５】
本発明の中仕切りＡは、図１に示すように、一枚のブランクから組み立てられた構成であり、直方体形状の収納部Ｓ１を形成した形状となっている。
【００１６】
図２は、図１の中仕切りＡのブランクの展開図であり、ブランク１０Ａは、上天板１、下天板１´、底板２を中心として、上から上天板１、上仕切り板５、底板２、下仕切り板５´、下天板１´を順次折れ線を介して連設し、上天板１の上辺には折れ線ａを介して側板３を連設し、下天板１´の下辺には折れ線ａ´を介して側板３´を連設し、上天板１の左辺および右辺の両側辺には折れ線ｂ、ｂを介して上連結側板４、４を連設し、下天板１´の左辺および右辺の両側辺には折れ線ｂ´、ｂ´を介して下連結側板４´、４´を連設している。それぞれの下連結側板４、４、下連結側板４´、４´の内方端部は、互いにロックして連結することができるように、上連結部４ｒ、４ｒ、下連結部４´ｒ、４´ｒを延設している。
【００１７】
また、上天板１と下天板１´の間には底板２が形成されているが、上から上天板１、上仕切り板５、底板２、下仕切り板５´、下天板１´を順次折れ線を介して連設しており、上天板１と底板２とを仕切り板５を介して連結しており、この仕切り板５を上天板１に折れ線ｃで、底板２に折れ線ｄで連設している。
一方、下天板１´と底板２を連結している部分として、下天板１´に折れ線ｃ´を介し、底板２に折れ線ｄ´を介して仕切り板５´を連設している。この平面状の中仕切りＡのブランク１０Ａはスペースをとらず、保管、輸送などに有利である。
【００１８】
この一枚のブランク１０Ａから中仕切りＡを作成するには、まず、図３−ａに示すように、折れ線ｄで仕切り板５を底板２から折り曲げて直角に起こすと同時に、折れ線ｃで上天板１を底板２に平行状に折り曲げて底板２と上天板１とが段差を持った形とする。ついで、図３−ｂに示すように、側板３を折れ線ａで下方に直角に折り曲げ、上連結側板４、４を折れ線ｂ、ｂでそれぞれ下方に直角に折り曲げる。つぎに、同様にして、図３−ｃに示すように、折れ線ｄ´で仕切り板５´を底板２から折り曲げて直角に起こすと同時に、折れ線ｃ´で下天板１´を底板２に平行状に折り曲げて底板２と下天板１´とが段差を持った形とし、側板３´を折れ線ａ´で下方に直角に折り曲げ、下連結側板４´、４´を折れ線ｂ´、ｂ´でそれぞれ下方に直角に折り曲げる。最後に、図３−ｄに示すように、上連結側板４、４と下連結側板４´、４´をそれぞれロック部４ｒ、４´ｒで連結して固定することにより収納部Ｓ１を有する中仕切りＡを作成することができる。
【００１９】
本発明の中仕切りＡの特徴は、一枚の平面状のブランクから組み立てることができる中仕切りであること、また、図４に示すように、組み立ててできた直方体形状の収納部Ｓ１に適応した収納体を収納することができるということ、さらに、ブランク１０Ａを中仕切りに組み立てる工程が自動機で高速生産ができること等である。
【００２０】
実際に、図１に示すような収納体Ｎ１を収納部Ｓ１に収納した中仕切りＡは、通常、外箱に収容される。外箱の形状は、特にされるものではないが、例えば、図５−ａに示すようなスリーブ、図５−ｂに示すような一般的なサック形状のカートン、図５−ｃに示すような身・蓋形式の箱等があり、中に収容して使用することができる。
【００２１】
図６は本発明にかかる中仕切りの第二の実施の形態の一実施例を示す斜視図であり、図７は図６の中仕切りのブランクの展開図であり、そして、図８は収納体を収納した状態を示す斜視図である。
【００２２】
本発明の中仕切りＢは、図６に示すように、一枚のブランクから組み立てられた構成であり、二種類の直方体形状の収納部Ｓ１、Ｓ２を形成した形状となっている。すなわち、収納部Ｓ１あるいは収納部Ｓ２のいずれかの収納部に異なる直方体形状の収納体Ｎ１あるいは収納体Ｎ２を収納することができるように対応した構造となっている。
【００２３】
図７は、図６の中仕切りＢのブランクの展開図であり、ブランク１０Ｂは、上天板１、下天板１´、底板２を中心として、上から上天板１、三分割した上仕切り板５（中央上仕切り板５ａ、側上仕切り板５ｂ、側上仕切り板５ｃ）、底板２、三分割した下仕切り板５（中央下仕切り板５ａ´、側下仕切り板５ｂ´、側下仕切り板５ｃ´）、下天板１´を順次折れ線を介して連設し、上天板１の上辺には折れ線ａを介して側板３を連設し、下天板１´の下辺には折れ線ａ´を介して側板３´を連設し、上天板１の左辺および右辺には折れ線ｂ、ｂを介して上連結側板４、４を連設し、下天板１´の左辺および右辺には折れ線ｂ´、ｂ´を介して下連結側板４´、４´を連設している。それぞれの上連結側板４、４、下連結側板４´、４´の内方端部は、互いにロックして連結することができるように、上連結部４ｒ、４ｒ、下連結部４´ｒ、４´ｒを延設している。
【００２４】
また、上天板１と下天板１´の間には底板２を形成しているが、上から上天板１、三分割した上仕切り板５（中央上仕切り板５ａ、側上仕切り板５ｂ、側上仕切り板５ｃ）、底板２、三分割した下仕切り板５（中央下仕切り板５ａ´、側下仕切り板５ｂ´、側下仕切り板５ｃ´）、下天板１´を順次折れ線を介して連設し、上仕切り板５において、中央上仕切り板５ａを両側上仕切り板５ｂ、５ｃから上方に移動した位置に段差状に設けており、上天板１と底板２を連結している部分として、中仕切りＡの同様に、上天板１に折れ線ｃを介し、底板２に折れ線ｄを介して連設した側上仕切り板５ａを連設し、上天板１に折れ線ｅを介し、底板２に折れ線ｆを介して中央上仕切り板５ｂを連設し、上天板１に折れ線ｇを介し、底板２に折れ線ｈを介して側上仕切り板５ｃを連設している。なお、折れ線ｃと折れ線ｇは同一線上にあり、折れ線ｄと折れ線ｈは同一線上にある。また、縦状にそれぞれの折れ線ｃ、ｄ、ｅ、ｆの線端を結ぶ切り込みｍ、それぞれの折れ線ｅ、ｆ、ｇ、ｈの線端を結ぶｎが設けられている。
【００２５】
一方、下仕切り板５´において、中央下仕切り板５ａ´を両側下仕切り板５ｂ´、５ｃ´から上方に移動した位置に段差状に設けており、下天板１´と底板２を連結している部分として、中仕切りＡの同様に、下天板１´に折れ線ｃ´を介し、底板２に折れ線ｄ´を介して連設した側下仕切り板５ａ´を連設し、下天板１´に折れ線ｅ´を介し、底板２に折れ線ｆ´を介して中央下仕切り板５ｂ´を連設し、下天板１´に折れ線ｇを介し、底板２に折れ線ｈ´を介して側下仕切り板５ｃ´を連設している。なお、折れ線ｃ´と折れ線ｇ´は同一線上にあり、折れ線ｄ´と折れ線ｈ´は同一線上にある。また、縦状にそれぞれの折れ線ｃ´、ｄ´、ｅ´、ｆ´の線端を結ぶ切り込みｍ´、それぞれの折れ線ｅ´、ｆ´、ｇ´、ｈ´の線端を結ぶｎ´が設けられている。このようにして、上仕切り板５と下仕切り板５´を底板の横中央線を軸として対称な位置関係としている。
【００２６】
この一枚のブランク１０Ｂから中仕切りＢを作成するには、まず、折れ線ｄ、ｆ、ｈで三分割した上仕切り板５（中央上仕切り板５ａ、側上仕切り板５ｂ、側上仕切り板５ｃ）を底板２から折り曲げて直角に起こすと同時に、折れ線ｃ、ｅ、ｇで上天板１を底板２に平行状に折り曲げて底板２と上天板１とが段差を持った形とする。ついで、側板３を折れ線ａで下方に直角に折り曲げ、上連結側板４、４を折れ線ｂ、ｂでそれぞれ下方に直角に折り曲げる。つぎに、同様にして、折れ線ｄ´、ｆ´、ｈ´で三分割した下仕切り板５（中央上仕切り板５ａ´、側上仕切り板５ｂ´、側上仕切り板５ｃ´）を底板２から折り曲げて直角に起こすと同時に、折れ線ｃ´、ｅ´、ｇ´で下天板１´を底板２に平行状に折り曲げて底板２と下天板１´とが段差を持った形とする。ついで、側板３´を折れ線ａ´で下方に直角に折り曲げ、下連結側板４´、４´を折れ線ｂ´、ｂ´でそれぞれ下方に直角に折り曲げる。最後に、上連結側板４、４と下連結側板４´、４´をそれぞれ上連結部４ｒと下連結部４´ｒで連結して固定することにより図６に示すような収納部Ｓ１と収納部Ｓ２を有する中仕切りＢを作成することができる。
【００２７】
本発明の中仕切りＢの特徴は、一枚の平面状のブランクから組み立てることができる中仕切りであること、また、図８−ａに示すように、組み立ててできた収納部Ｓ１に収納体Ｎ１を収納する場合と、図８−ｂに示すように、収納部Ｓ２に収納体Ｎ２を収納する場合のサイズ違いの収納体に適応することができるということ、さらに、ブランク１０Ｂを中仕切りに組み立てる工程が簡単であり自動機で高速生産ができること等である。
【００２８】
図９は本発明にかかる中仕切りの第三の実施の形態の一実施例を示す斜視図であり、図１０は図９の中仕切りのブランクの展開図であり、そして、図１１は収納体を収納した状態を示す斜視図である。
【００２９】
本発明の中仕切りＣは、図９に示すように、一枚のブランクから組み立てられた構成であり、三種類の直方体形状の収納部Ｓ１、Ｓ２、Ｓ３を形成した形状となっている。すなわち、収納部Ｓ１、収納部Ｓ２あるいは収納部Ｓ３のいずれかの収納部に異なる直方体形状の収納体Ｎ１、Ｎ２、Ｎ３のいずれかを収納することができるように対応した構造となっている。
【００３０】
図１０は、図９の中仕切りＣのブランクの展開図であり、ブランク１０Ｃは、上天板１、下天板１´、底板２を中心として、上から上天板１、五分割した上仕切り板５（中央上仕切り板５ａ、側上仕切り板５ｂ、側上仕切り板５ｃ、中央側上仕切り板５ｄ、中央側上仕切り板５ｅ）、底板２、五分割した下仕切り板５（中央下仕切り板５ａ´、側下仕切り板５ｂ´、側下仕切り板５ｃ´、中央側下仕切り板５ｄ、中央側下仕切り板５ｅ）、下天板１´を順次折れ線を介して連設し、上天板１の上辺には折れ線ａを介して側板３を連設し、下天板１´の下辺には折れ線ａ´を介して側板３´を連設し、上天板１の左辺および右辺には折れ線ｂ、ｂを介して上連結側板４、４を連設し、下天板１´の左辺および右辺には折れ線ｂ´、ｂ´を介して下連結側板４´、４´を連設している。それぞれの上連結側板４、４、下連結側板４´、４´の内方端部は、互いにロックして連結することができるように、上連結部４ｒ、４ｒ、下連結部４´ｒ、４´ｒを延設している。
【００３１】
また、上天板１と下天板１´の間には底板２を形成しているが、上から上天板１、五分割した上仕切り板５（中央上仕切り板５ａ、側上仕切り板５ｂ、側上仕切り板５ｃ、中央側上仕切り板５ｄ、中央側上仕切り板５ｅ）、底板２、五分割した下仕切り板５（中央下仕切り板５ａ´、側下仕切り板５ｂ´、側下仕切り板５ｃ´、中央側下仕切り板５ｄ、中央側下仕切り板５ｅ）、下天板１´を順次折れ線を介して連設し、上仕切り板５において、中央側上仕切り板５ｄ、ｅを両側上仕切り板５ｂ、５ｃから上方に移動した位置に段差状に設け、そして、中央上仕切り板５ａを両中央側上仕切り板５ｄ、５ｅから上方に移動した位置に段差状に設けており、上天板１と底板２を連結している部分として、中仕切りＡの同様に、上天板１に折れ線ｃを介し、底板２に折れ線ｄを介して連設した側上仕切り板５ｂを連設し、上天板１に折れ線ｅを介し、底板２に折れ線ｆを介して中央側上仕切り板５ｄを連設し、上天板１に折れ線ｇを介し、底板２に折れ線ｈを介して中央上仕切り板５ｃを連設し、上天板１に折れ線ｉを介し、底板２に折れ線ｊを介して中央側仕切り板５ｅを連設し、上天板１に折れ線ｋを介し、底板２に折れ線ｌを介して側上仕切り板５ｃを連設している。なお、折れ線ｃと折れ線ｇは同一線上にあり、折れ線ｄと折れ線ｈは同一線上にあり、折れ線ｉと折れ線ｋは同一線上にあり、折れ線ｊと折れ線ｋは同一線上にある。また、縦状にそれぞれの折れ線ｅ、ｆ、ｉ、ｊの線端を結ぶ切り込みｍ、それぞれの折れ線ｅ、ｆ、ｋ、ｌの線端を結ぶ切り込みｎ、それぞれの折れ線ｃ、ｄ、ｉ、ｊの線端を結ぶ切り込みｏ、それぞれの折れ線ｇ、ｈ、ｋ、ｌの線端を結ぶ切り込みｐが設けられている。
【００３２】
一方、下仕切り板５´において、中央側下仕切り板５ｄ´、ｅ´を両側下仕切り板５ｂ´、５ｃ´から下方に移動した位置に段差状に設け、そして、中央下仕切り板５ａ´を両中央側下仕切り板５ｄ´、５ｅ´から下方に移動した位置に段差状に設けており、下天板１´と底板２を連結している部分として、中仕切りＡの同様に、下天板１´に折れ線ｃ´を介し、底板２に折れ線ｄ´を介して連設した側下仕切り板５ａ´を連設し、下天板１´に折れ線ｅ´を介し、底板２に折れ線ｆ´を介して中央側下仕切り板５ｂ´を連設し、下天板１´に折れ線ｇを介し、底板２に折れ線ｈ´を介して中央下仕切り板５ｃ´を連設し、下天板１´に折れ線ｉ´を介し、底板２に折れ線ｊ´を介して中央側仕切り板５ｅ´を連設し、下天板１´に折れ線ｋ´を介し、底板２に折れ線ｌ´を介して側下仕切り板５ｃ´を連設している。なお、折れ線ｃ´と折れ線ｇ´は同一線上にあり、折れ線ｄ´と折れ線ｈ´は同一線上にあり、折れ線ｉ´と折れ線ｋ´は同一線上にあり、折れ線ｊ´と折れ線ｋ´は同一線上にある。また、縦状にそれぞれの折れ線ｅ´、ｆ´、ｉ´、ｊ´の線端を結ぶ切り込みｍ、それぞれの折れ線ｅ´、ｆ´、ｋ´、ｌ´の線端を結ぶ切り込みｎ´、それぞれの折れ線ｃ´、ｄ´、ｉ´、ｊ´の線端を結ぶ切り込みｏ´、それぞれの折れ線ｇ´、ｈ´、ｋ´、ｌ´の線端を結ぶ切り込みｐ´が設けられている。このようにして、上仕切り板５と下仕切り板５´を底板の横中央線を軸として対称な位置関係としている。
【００３３】
この一枚のブランク１０Ｃから中仕切りＣを作成するには、まず、折れ線ｄ、ｆ、ｈ、ｊ、ｌで上仕切り板５（中央上仕切り板５ａ、側上仕切り板５ｂ、側上仕切り板５ｃ、中央側上仕切り板５ｄ、中央側上仕切り板５ｅ）を底板２から折り曲げて直角に起こすと同時に、折れ線ｃ、ｅ、ｇ、ｉ、ｋで上天板１を底板２に平行状に折り曲げて底板２と上天板１とが段差を持った形とする。ついで、側板３を折れ線ａで下方に直角に折り曲げ、上連結側板４、４を折れ線ｂ、ｂでそれぞれ下方に直角に折り曲げる。つぎに、同様にして、折れ線ｄ´、ｆ´、ｈ´、ｊ´、ｌ´で下仕切り板５（中央下仕切り板５ａ´、側下仕切り板５ｂ´、側下仕切り板５ｃ´、中央側下仕切り板５ｄ、中央側下仕切り板５ｅ）を底板２から折り曲げて直角に起こすと同時に、折れ線ｃ´、ｅ´、ｇ´、ｉ´、ｋ´で下天板１´を底板２に平行状に折り曲げて底板２と下天板１´とが段差を持った形とする。ついで、側板３´を折れ線ａ´で下方に直角に折り曲げ、下連結側板４´、４´を折れ線ｂ´、ｂ´でそれぞれ下方に直角に折り曲げる。最後に、上連結側板４、４と下連結側板４´、４´をそれぞれ上連結部４ｒ、下連結部４´ｒで連結して固定することにより収納部Ｓ１と収納部Ｓ２と収納部Ｓ３を有する中仕切りＣを作成することができる。
【００３４】
本発明の中仕切りＣの特徴は、一枚の平面状のブランクから組み立てることができる中仕切りであること、また、図１１−ａに示すように、組み立ててできた収納部Ｓ１に収納体Ｎ１を収納する場合と、図１１−ｂに示すように、収納部Ｓ２に収納体Ｎ２を収納する場合と、図１１−ｃに示すように、収納部Ｓ３に収納体Ｎ３を収納する場合のサイズ違いの収納体に適応することができるということ、さらに、ブランク１０Ｃを中仕切りに組み立てる工程が簡単であり自動機で高速生産ができること等である。
【００３５】
なお、仕切り板を複数に分割した形態においては、例えば、図１２のブランク１０Ｄの部分図に示すように、中央仕切り板５ａの両側上縁部に切り込みｑ、ｑを入れて上天板１から折り曲げ可能な保持片６、６を設けることができる。この保持片６、６を設けることにより、下方に折り曲げた場合は、上仕切り板５ａまで収納体Ｎ５を収納することができるが、図１３に示すように、保持片６、６を折り曲げずに底板２に平行状に保った場合は、このこの保持片６、６まで収納体Ｎ４を収納することになり、異なるサイズの収納体に対応できる中仕切りとすることができる。
【００３６】
また、上連結側板４、４と下連結側板４´、４´をそれぞれ上連結部４ｒ、下連結部４´ｒで連結して固定する方法は、上記のように、上連結部４ｒ、下連結部４´ｒをロック形状として連結する方法以外に、上連結部４ｒと下連結部４´ｒを貼り合わせて連結する方法とすることもできる。
【産業上の利用可能性】
【００３７】
本発明の中仕切りは、個包装された菓子、食品、雑貨等の保護および固定のために使用されるが、特に、タバコ等の類似した形状でサイズが異なる収納体を収納するために一つの形状の中仕切りで対応する場合に好適に利用するすることができる。
【図面の簡単な説明】
【００３８】
【図１】本発明の中仕切りの第一の実施の形態の一実施例を示す斜視図である。
【図２】本発明の中仕切りの第一の実施の形態の一実施例のブランクを示す展開図である。
【図３】本発明の中仕切りの第一の実施の形態の一実施例を組み立てる過程を説明する斜視図である。
【図４】本発明の中仕切りの第一の実施の形態の一実施例に収納体を収納した状態を示す斜視図である。
【図５】本発明の中仕切りを収容する外箱等の例を示す斜視図である。
【図６】本発明の中仕切りの第二の実施の形態の一実施例を示す斜視図である。
【図７】本発明の中仕切りの第二の実施の形態の一実施例のブランクを示す展開図である。
【図８】本発明の中仕切りの第二の実施の形態の一実施例に収納体を収納した状態を示す斜視図である。
【図９】本発明の中仕切りの第三の実施の形態の一実施例を示す斜視図である。
【図１０】本発明の中仕切りの第三の実施の形態の一実施例のブランクを示す展開図である。
【図１１】本発明の中仕切りの第三の実施の形態の一実施例に収納体を収納した状態を示す斜視図である。
【図１２】本発明の中仕切りの変形例のブランクを示す部分展開図である。
【図１３】本発明の中仕切りの変形例を示す斜視図である。
【符号の説明】
【００３９】
Ａ        中仕切り（第一の実施の形態）
Ｂ        中仕切り（第二の実施の形態）
Ｃ        中仕切り（第三の実施の形態）
Ｄ        中仕切り（変形例）
Ｓ３〜Ｓ４  収納部
Ｎ１〜Ｎ４  収納体
１        上天板
１´      下天板
２        底板
３        上側板
３´      下側板
４        上連結側板
４´      下連結側板
４ｒ      上連結部
４´ｒ    下連結部
５        上仕切り板
５ａ      中央上仕切り板
５ｂ      側上仕切り板
５ｃ      側上仕切り板
５ｄ      中央側上仕切り板
５ｅ      中央側上仕切り板
５´      下仕切り板
５ａ´    中央下仕切り板
５ｂ´    側下仕切り板
５ｃ´    側下仕切り板
５ｄ´    中央側下仕切り板
５ｅ´    中央側下仕切り板
６        保持片
１０Ａ      ブランク（中仕切りＡの）
１０Ｂ      ブランク（中仕切りＢの）
１０Ｃ      ブランク（中仕切りＣの）
１０Ｄ      ブランク（中仕切りＤの）
ａ〜ｌ    折れ線
ｍ〜ｑ    切り込み
【図１】
2007076733.tif 000003
【図２】
2007076733.tif 000004
【図３】
2007076733.tif 000005
【図４】
2007076733.tif 000006
【図５】
2007076733.tif 000007
【図６】
2007076733.tif 000008
【図７】
2007076733.tif 000009
【図８】
2007076733.tif 000010
【図９】
2007076733.tif 000011
【図１０】
2007076733.tif 000012
【図１１】
2007076733.tif 000013
【図１２】
2007076733.tif 000014
【図１３】
2007076733.tif 000015